(57)【要約】【課題】タイムステップ管理方法(積分方法)が異なる複数のシミュレーションプログラムを組み合わせてシミュレーションさせる場合でも、異常終了することなく、高速でシミュレーションを実行可能な運転訓練シミュレータを提供することにある。【解決手段】プラントモデルシステム機器モデル計算部１１３は、原子カプラント全体のパラメータを計算する。過酷事故対応主要プラントモデル計算部１０５は、過酷事故に対して原子力プラントの主要パラメータのみを計算する。表示制御部１１１は、プラントモデルシステム機器モデル計算部１１３や過酷事故対応主要プラントモデル計算部１０５によるシミュレーション結果の表示を制御する。シミュレーション同期制御部１１４は、プラントモデルシステム機器モデル計算部１１３と過酷事故対応主要プラントモデル計算部１０５の計算を同期させる。【選択図】図１
2014006178.tif 000002
【特許請求の範囲】
【請求項１】
原子力プラントの運転訓練シミュレータのシナリオを設定する訓練シナリオ設定部と、
シミュレーションの実行を操作するシミュレーション実行操作部と、
シミュレーションの実行を制御するシミュレーション実行制御部と、
原子カプラント全体のパラメータを計算するプラントモデルシステム機器モデル計算部と、
過酷事故に対して原子力プラントの主要パラメータのみを計算する過酷事故対応主要プラントモデル計算部と、
前記プラントモデルシステム機器モデル計算部や前記過酷事故対応主要プラントモデル計算部によるシミュレーション結果の表示を制御する表示制御部と、
前記シミュレーション結果を表示し運転操作を模擬する操作・監視部と、
前記プラントモデルシステム機器モデル計算部と前記過酷事故対応主要プラントモデル計算部の計算を同期させるシミュレーション同期制御部を備えることを特徴とする運転訓練シミュレータ。
【請求項２】
請求項１記載の運転訓練シミュレータにおいて、
前記プラントモデルシステム機器モデル計算部と前記過酷事故対応主要プラントモデル計算部の相互のパラメータ授受を制御するモデルパラメータ通信制御部を備えることを特徴とする運転訓練シミュレータ。
【請求項３】
請求項２記載の運転訓練シミュレータにおいて、
前記シミュレーション同期制御部は、前記シミュレーション実行制御部から目標タイムステップと、前記プラントモデルシステム機器モデル計算部からプラントモデルシステム機器モデル計算部タイムステップ計算状況信号と、前記過酷事故対応主要プラントモデル計算部から過酷事故対応主要プラントモデル計算部タイムステップ計算状況信号とを受けて、前記プラントモデルシステム機器モデル計算部と前記過酷事故対応主要プラントモデル計算部のタイムステップ計算状況を監視することを特徴とする運転訓練シミュレータ。
【請求項４】
請求項３記載の運転訓練シミュレータにおいて、
前記シミュレーション同期制御部は、前記プラントモデルシステム機器モデル計算部と前記過酷事故対応主要プラントモデル計算部とのタイムステップを同期させるように、プラントモデルシステム機器モデル計算実行／待機指令を前記プラントモデルシステム機器モデル計算部に出力し、過酷事故対応主要プラントモデル計算実行／待機指令を前記過酷事故対応主要プラントモデル計算部に出力することを特徴とする運転訓練シミュレータ。
【請求項５】
請求項４記載の運転訓練シミュレータにおいて、
前記プラントモデルシステム機器モデル計算部は、原子カプラントの炉心が健全な場合には全体のプラントパラメータを模擬し、事象が過酷事故に進展した場合には、前記過酷事故対応主要プラントモデル計算部で計算された主要プラントパラメータを元に周辺のプラントパラメータを計算することを特徴とする運転訓練シミュレータ。
【請求項６】
請求項５記載の運転訓練シミュレータにおいて、
前記プラントモデルシステム機器モデル計算部は、前記訓練シナリオ設定部からの異常事象設定などの訓練シナリオデータを受け、また、前記監視・操作部から機器操作信号を受けて、訓練シナリオや運転操作をプラント挙動計算に反映して、前記シミュレーション実行制御部から受けた前記目標タイムステップのシミュレーション時刻までプラント挙動を計算し、プラントパラメータを前記モデルパラメータ通信制御部に出力することを特徴とする運転訓練シミュレータ。
【請求項７】
請求項６記載の運転訓練シミュレータにおいて、
前記過酷事故対応主要プラントモデル計算部は、前記訓練シナリオ設定部からの異常事象設定などの訓練シナリオデータを、前記プラントモデルシステム機器モデル計算部及び前記モデルパラメータ通信制御部を経由して受け、また、前記監視・操作部から機器操作信号を受けて、訓練シナリオや運転操作をプラント挙動計算に反映して、前記シミュレーション実行制御部から受けた目標タイムステップのシミュレーション時刻までプラント挙動を計算することを特徴とする運転訓練シミュレータ。
【請求項８】
請求項７記載の運転訓練シミュレータにおいて、
前記モデルパラメータ通信制御部は、前記訓練シナリオ設定部からの異常事象設定などの訓練シナリオデータや周辺機器の動作状態であるプラントパラメータデータを前記プラントモデルシステム機器モデル計算部から受け、プラントパラメータデータとして前記過酷事故対応主要プラントモデル計算部に出力することを特徴とする運転訓練シミュレータ。
【発明の詳細な説明】
【技術分野】
【０００１】
本発明は、原子力プラントの運転員等を訓練する運転訓練シミュレータに係り、特に、過酷事故に対応可能な運転訓練シミュレータに関する。
【背景技術】
【０００２】
原子力プラントの運転員は、プラントの運転状態を監視し、必要な対応操作を判断し、異常事象の発生を防止するように操作する。また、異常事象が発生した場合でも、異常原因あるいは異常兆候に対する必要な対応操作を判断し、異常進展を予測して、異常事象を緩和するように、あるいは異常の進展・拡大を防止するように対応操作を実施する。
【０００３】
運転訓練は、運転訓練シミュレータを用いて、これらの判断や対応操作を適切に実施できるように、通常の運転操作の訓練や異常時対応の訓練を実施するものであり、運転訓練シミュレータはその原子カプラントにおいて発生が予想される異常事象を模擬できるように設計されている。
【０００４】
従来の、過酷事故を模擬した運転訓練シミュレータとして、炉心損傷前後でプラントモデル計算部を切り替えるものが知られている(例えば、特許文献１参照)。
【先行技術文献】
【特許文献】
【０００５】
【特許文献１】特開２０００−３３８８５４号公報
【発明の概要】
【発明が解決しようとする課題】
【０００６】
しかし、炉心損傷までの緩慢な過渡事象を精度よくシミュレーションする炉心健全時プラントモデル計算部やシステム機器モデル計算部と、長時間に及ぶ過酷事故時の事象進展を高速でシミュレーションする過酷事故対応主要プラントモデル計算部では、シミュレーションのタイムステップ管理方法(積分方法)が異なることが多い。例えば、シミュレーションする炉心健全時プラントモデル計算部やシステム機器モデル計算部は固定タイムステップで計算され、過酷事故対応主要プラントモデル計算部は可変タイムステップで計算される場合が多い。
【０００７】
このようなタイムステップ管理方法(積分方法)が異なる複数のシミュレーションプログラムをプラントシミュレーションの部分として切り替えて使用する場合、過酷事故対応主要プラントモデル計算部で指定したタイムステップ分の計算を先に実行し、その後にシステム機器モデル計算部で周辺パラメータの計算を実行するので、タイプステップ(あるいはパラメータの時刻)のズレ(差)が生じ、プラントパラメータ計算が発散するなど、異常終了する恐れがあった。
【０００８】
また、過酷事故シナリオの運転訓練では、長時間(例えば６０時間)の事象進展となるシナリオがあるが、スナップショットなどであらかじめ採取しておいたシミュレーション途中データヘシミュレーション時刻をスキップさせる方法は、過酷事故時の種々の対応操作と操作タイミング、及びそのプラント挙動へ及ぼす影響を体感しづらいという問題があり、このため、この長時間の訓練シナリオを連続したシミュレーションで実行し適切な時間(例えば１〜２時間)で訓練を完了するには、シミュレーション速度を数十倍で実行させる必要が生じる。
【０００９】
しかし、プラントパラメータ計算が異常終了しないようにタイプステップを短くすると、シミュレーション速度大きくすることができず(例えば１倍速程度に制限されて)、長時間(例えば６０時間)の事象進展となる過酷事故に対しては、適切な時間(例えば１〜２時間)で運転訓練を完了することができないという問題があった。
【００１０】
本発明の目的は、タイムステップ管理方法(積分方法)が異なる複数のシミュレーションプログラムを組み合わせてシミュレーションさせる場合でも、異常終了することなく、高速でシミュレーションを実行可能な運転訓練シミュレータを提供することにある。
【課題を解決するための手段】
【００１１】
上記目的を達成するために、本発明は、原子力プラントの運転訓練シミュレータのシナリオを設定する訓練シナリオ設定部と、シミュレーションの実行を操作するシミュレーション実行操作部と、シミュレーションの実行を制御するシミュレーション実行制御部と、原子カプラント全体のパラメータを計算するプラントモデルシステム機器モデル計算部と、過酷事故に対して原子力プラントの主要パラメータのみを計算する過酷事故対応主要プラントモデル計算部と、前記プラントモデルシステム機器モデル計算部や前記過酷事故対応主要プラントモデル計算部によるシミュレーション結果の表示を制御する表示制御部と、前記シミュレーション結果を表示し運転操作を模擬する操作・監視部と、前記プラントモデルシステム機器モデル計算部と前記過酷事故対応主要プラントモデル計算部の計算を同期させるシミュレーション同期制御部を備えるようにしたものである。  
かかる構成により、タイムステップ管理方法(積分方法)が異なる複数のシミュレーションプログラムを組み合わせてシミュレーションさせる場合でも、異常終了することなく、高速でシミュレーションを実行可能となる。
【発明の効果】
【００１２】
本発明によれば、タイムステップ管理方法(積分方法)が異なる複数のシミュレーションプログラムを組み合わせてシミュレーションさせる場合でも、異常終了することなく、高速でシミュレーションを実行可能となる。
【図面の簡単な説明】
【００１３】
【図１】本発明の一実施形態による運転訓練シミュレータの構成を示すブロック図である。
【図２】本発明の一実施形態による運転訓練シミュレータの動作を示すフローチャートである。
【図３】本発明の一実施形態による運転訓練シミュレータの動作を示すタイムチャートである。
【発明を実施するための形態】
【００１４】
以下、図１〜図３を用いて、本発明の一実施形態による運転訓練シミュレータの構成及び動作について説明する。  
図１は、本発明の一実施形態による運転訓練シミュレータの構成を示すブロック図である。図２は、本発明の一実施形態による運転訓練シミュレータの動作を示すフローチャートである。図３は、本発明の一実施形態による運転訓練シミュレータの動作を示すタイムチャートである。
【００１５】
図１に示す構成において、本実施形態の特徴的な構成は、シミュレーション同期制御部１１４と、モデルパラメータ通信制御部１１５とにある。プラントモデルシステム機器モデル計算部１１３と過酷事故対応主要プラントモデル計算部１０５とは、並列で計算させるとともに、シミュレーション同期制御部１１４がそれぞれのタイムステップを同期させる。また、モデルパラメータ通信制御部１１５は、プラントモデルシステム機器モデル計算部１１３と過酷事故対応主要プラントモデル計算部１０５の相互のパラメータ授受を行う。
【００１６】
以下、これらの特徴的な構成を含め、図１に示した本実施形態による運転訓練シミュレータの全体的な構成及び動作について説明する。
【００１７】
訓練シナリオ設定部１０１は、運転訓練の異常事象シナリオを設定する部分であり、機器故障などの訓練シナリオデータ２０１をプラントモデルシステム機器モデル計算部１１３に出力する。
【００１８】
シミュレーション実行操作部１０２は、運転訓練シミュレータの実行停止などを操作する部分であり、実行指令２０２をシミュレーション実行制御部１０３に出力する。
【００１９】
シミュレーション実行制御部１０３は、シミュレーション実行操作部１０２から実行指令２０２と、プラントモデルシステム機器モデル計算部１１３からプラントモデルシステム機器モデル計算部タイムステップ計算状況信号２１５と、また、過酷事故対応主要プラン＋トモデル計算部１０５から過酷事故対応主要プラントモデル計算部タイムステップ計算状況信号２１６とを受けて、目標タイムステップ計算完了後、続けて事象進展を計算すべき次の目標タイムステップ２０３をシミュレーション同期制御部１１４，プラントモデルシステム機器モデル計算部１１３，過酷事故対応主要プラントモデル計算部１０５に出力する。
【００２０】
シミュレーション同期制御部１１４は、プラントモデルシステム機器モデル計算部１１３と過酷事故対応主要プラントモデル計算部１０５のタイムステップの同期制御を行う部分である。シミュレーション同期制御部１１４は、シミュレーション実行制御部１０３から目標タイムステップ２０３と、プラントモデルシステム機器モデル計算部１１３からプラントモデルシステム機器モデル計算部タイムステップ計算状況信号２１５と、また、過酷事故対応主要プラントモデル計算部１０５から過酷事故対応主要プラントモデル計算部タイムステップ計算状況信号２１６とを受けて、プラントモデルシステム機器モデル計算部１１３と過酷事故対応主要プラントモデル計算部１０５のタイムステップ計算状況を監視しながら、タイムステップを同期させるように、プラントモデルシステム機器モデル計算実行／待機指令２１７をプラントモデルシステム機器モデル計算部１１３に出力し、過酷事故対応主要プラントモデル計算実行／待機指令２１８を過酷事故対応主要プラントモデル計算部１０５に出力する。目標タイムステップ２０３までの計算毎に、計算速度が小さいほうに合わせて計算を待機させることにより、全体のシミュレーション速度を制限することなく、シミュレーション同期が可能である。
【００２１】
なお、プラントモデルシステム機器モデル計算部１１３の計算は、例えば、２〜３時間程度で終了する運転訓練事象を扱うプラント挙動計算モデルであり、一回当たりのシミュレーション時間計算幅であるのタイムステップが小さいため、計算速度は大きくないが、プラント挙動を精度良く計算する特徴を有している。一方、過酷事故対応主要プラントモデル計算部１０５は、例えば、６０時間程度の長時間の過酷事故を扱うプラント挙動計算モデルであり、比較的大きいタイムステップでの計算であるため、計算速度は高速で、過酷事故時のプラント挙動傾向を計算する特徴を有している。例えば、タイムステップが、プラントモデルシステム機器モデル計算部１１３では１秒程度、過酷事故対応主要プラントモデル計算部１０５では５秒程度であるとし、目標タイムステップが１０秒であるとすると、シミュレーション同期制御部１１４は、図３のように、目標タイムステップ１０秒毎に、計算速度が小さいほうに合わせて、計算を待機させる。（なお、過酷事故対応主要プラントモデル計算部１０５のタイムステップは、扱う訓練シナリオによっては、１〜２０秒程度と変わることもある。）
このように、タイムステップ管理方法(積分方法)が異なる複数のシミュレーションプログラムを、タイムステップの間の適切な間隔で同期制御することで、タイプステップ(あるいはパラメータの時刻)のズレ(差)を抑制するとともに、タイムステップの間の適切な間隔で相互のパラメータ授受を行うことで、モデル間のパラメータのミスマッチを小さくして、プラントパラメータ計算が異常終了しないようにすることが可能である。ここで、同期制御や相互のパラメータ授受を行うタイムステップの間の適切な間隔は、計算速度が遅い方のシミュレーションプログラムのシミュレーション速度を基準に行うので、高速でシミュレーションを実行可能となる。
【００２２】
プラントモデルシステム機器モデル計算部１１３は、原子カプラントの炉心が健全な場合には全体のプラントパラメータを模擬し、事象が過酷事故に進展した場合には、過酷事故対応主要プラントモデル計算部１０５で計算された主要プラントパラメータ２２０を元に周辺のプラントパラメータを計算する。訓練シナリオ設定部１０１からの異常事象設定などの訓練シナリオデータ２０１を受け、また、監視・操作部１１２から機器操作信号２０７を受けて、訓練シナリオや運転操作をプラント挙動計算に反映して、シミュレーション実行制御部１０３から受けた目標タイムステップ２０３のシミュレーション時刻までプラント挙動を計算し、プラントパラメータ２１９をモデルパラメータ通信制御部１１５に出力する。また、シミュレーション同期制御部１１４からのプラントモデルシステム機器モデル計算実行／待機指令２１７を受けて、プラントモデルシステム機器モデル計算を実行あるいは待機させる。さらに、目標タイムステップ２０３までの小タイムステップ計算状況をプラントモデルシステム機器モデル計算部タイムステップ計算状況信号２１５として、シミュレーション実行制御部１０３及びシミュレーション同期制御部１１４に出力する。
【００２３】
過酷事故対応主要プラントモデル計算部１０５は、原子力プラントの炉心が損傷した場合などの過酷事故時の主要なプラントパラメータを模擬する部分である。訓練シナリオ設定部１０１からの異常事象設定などの訓練シナリオデータ２０１を、プラントモデルシステム機器モデル計算部１１３及びモデルパラメータ通信制御部１１５を経由して受け、また、監視・操作部１１２から機器操作信号２０７を受けて、訓練シナリオや運転操作をプラント挙動計算に反映して、シミュレーション実行制御部１０３から受けた目標タイムステップ２０３のシミュレーション時刻までプラント挙動を計算し、プラントパラメータ２２２をモデルパラメータ通信制御部１１５に出力する。また、シミュレーション同期制御部114からの過酷事故対応主要プラントモデル計算実行／待機指令２１８を受けて、過酷事故対応主要プラントモデル計算を実行あるいは待機させる。さらに、目標タイムステップ２０３までの小タイムステップ計算状況を過酷事故対応主要プラントモデル計算部タイムステップ計算状況信号２１６として、シミュレーション実行制御部１０３及びシミュレーション同期制御部１１４に出力する。
【００２４】
モデルパラメータ通信制御部１１５は、プラントモデルシステム機器モデル計算部１１３と過酷事故対応主要プラントモデル計算部１０５の相互のパラメータ授受を行う。訓練シナリオ設定部１０１からの異常事象設定などの訓練シナリオデータ２０１や周辺機器の動作状態であるプラントパラメータデータ２１９をプラントモデルシステム機器モデル計算部１１３から受け、プラントパラメータデータ２２１として過酷事故対応主要プラントモデル計算部１０５に出力する。また、過酷事故対応主要プラントモデル計算部１０５からプラントパラメータデータ２２２を受け、プラントパラメータデータ２２０としてプラントモデルシステム機器モデル計算部１１３に出力する。さらに、プラントモデルシステム機器モデル計算部１１３からのプラントパラメータデータ２１９と過酷事故対応主要プラントモデル計算部１０５からのプラントパラメータデータ２２２を受けて、主要なプラントパラメータ毎に、プラントモデルシステム機器モデル計算部１１３の計算結果を採用するか、あるいは過酷事故対応主要プラントモデル計算部１０５の計算結果を採用するかを判断して、全体のプラントパラメータデータ２０５として表示制御部１１１に出力する。
【００２５】
表示制御部１１１は、モデルパラメータ通信制御部１１５からプラントパラメータデータ２０５を受け、監視・操作部１１２に状態表示データ２０６を出力する。
【００２６】
監視・操作部１１２は、表示制御部１１１から状態表示データ２０６を受け、指示計や警報装置にプラント状態を表示させるとともに、運転員の機器操作に基づき、機器操作信号２０７をプラントモデルシステム機器モデル計算部１１３、及び過酷事故対応主要プラントモデル計算部１０５に出力する。
【００２７】
次に、図２及び図３を用いて、本実施形態による運転訓練シミュレータの動作について説明する。
【００２８】
ステップＳ３００において、訓練シナリオ設定部１０１は、運転訓練の異常事象シナリオを設定し、機器故障などの訓練シナリオデータをプラントモデルシステム機器モデル計算部１１３に出力する。
【００２９】
次に、ステップＳ３１０において、シミュレーション実行操作部１０２は、運転訓練シミュレータの実行指令をシミュレーション実行制御部１０３に出力する。
【００３０】
次に、ステップＳ３２０において、シミュレーション実行制御部１０３は、目標タイムステップ計算完了後、続けて事象進展を計算すべき次の目標タイムステップをシミュレーション同期制御部１１４に出力する。
【００３１】
次に、ステップＳ３３０において、シミュレーション同期制御部１１４は、所定時間（目標タイムステップ）が経過したかどうかを判定する。所定時間が経過すると、ステップＳ３４０に進む。
【００３２】
次に、ステップＳ３４０において、シミュレーション同期制御部１１４は、所定時間（目標タイムステップ）経過した時点で、プラントモデルシステム機器モデル計算部１１３の計算状況と、過酷事故対応主要プラントモデル計算部１０５の計算状況を確認し、計算速度の早い方のモデル計算を待機させる。
【００３３】
次に、ステップＳ３５０において、シミュレーション同期制御部１１４は、計算速度の遅い方の計算が終了し、プラントモデルシステム機器モデル計算部１１３の計算と、過酷事故対応主要プラントモデル計算部１０５の計算の同期が取れたか否かを判断する。同期が取れると、ステップＳ３６０に進む。
【００３４】
次に、ステップＳ３６０において、表示制御部１１１は、モデルパラメータ通信制御部１１５からプラントパラメータデータを受け、監視・操作部１１２に状態表示データを出力する。
【００３５】
次に、ステップＳ３７０において、監視・操作部１１２は、指示系や警報装置にプラント状態を表示させる。
【００３６】
以上説明したように、本実施形態の運転訓練シミュレータでは、タイムステップ管理方法(積分方法)が異なるプラントモデルシステム機器モデル計算部１１３と過酷事故対応主要プラントモデル計算部１０５を、目標タイムステップ毎の適切な間隔で同期制御することで、タイプステップ(あるいはパラメータの時刻)のズレ(差)を抑制するため、プラントパラメータ計算が異常終了しないようにすることが可能である。
【００３７】
また、目標タイムステップの間の適切な間隔で相互のパラメータ授受を行うことで、モデル間のパラメータのミスマッチを小さくして、プラントパラメータ計算が異常終了しないようにすることが可能である。
【００３８】
さらに、シミュレーション速度の小さい方の計算部の計算タイミングに合わせてシミュレーションを実行することで、シミュレーション速度を制限せずにシミュレーション同期が可能である。
【００３９】
以上説明したように、本発明では、タイムステップ管理方法(積分方法)が異なる複数のシミュレーションプログラムを組み合わせてシミュレーションを実行する場合でも、プラントパラメータ計算が異常終了しないようにすることが可能である。
【００４０】
従って、タイムステップ管理方法(積分方法)が異なる複数のシミュレーションプログラムを組み合わせてシミュレーションさせる場合でも、異常終了することなく、高速でシミュレーションを実行可能となる。
【００４１】
なお、本発明は、タイムステップ管理方法(積分方法)が異なるシミュレーションシステムに適用可能である。
【符号の説明】
【００４２】
１０１…訓練シナリオ設定部
１０２…シミュレーション実行操作部
１０３…シミュレーション実行制御部
１０５…過酷事故対応主要プラントモデル計算部
１１１…表示制御部
１１２…監視・操作部
１１３…プラントモデルシステム機器モデル計算部
１１４…シミュレーション同期制御部
１１５…モデルパラメータ通信制御部
２０１…訓練シナリオデータ
２０２…実行指令
２０３…目標タイムステップ
２０６…状態表示データ
２０７…機器操作信号
２１５…プラントモデルシステム機器モデル計算部タイムステップ計算状況信号
２１６…過酷事故対応主要プラントモデル計算部タイムステップ計算状況信号
２１７…プラントモデルシステム機器モデル計算実行/待機指令
２１８…過酷事故対応主要プラントモデル計算実行/待機指令
２０５，２１９，２２０，２２１，２２２…プラントパラメータデータ
【図１】
2014006178.tif 000003
【図２】
2014006178.tif 000004
【図３】
2014006178.tif 000005